(57)【要約】【課題】モータの出力軸とポンプケース内の液体との間を簡易な構成で二重絶縁構造にした電動ポンプを提供することを目的とする。【解決手段】駆動用磁石２３を絶縁性の磁性材料で形成し、駆動用磁石２３の孔２４を袋状とし、この孔２４とモータ２１の出力軸２２との間には、駆動用磁石２３の出力軸２２への圧入固定時に駆動用磁石２３の外側に通じる隙間を形成した。これによって、駆動用磁石２３の出力軸２２への圧入固定時に空気が逃げ、容易に駆動用磁石２３を出力軸２２に圧入でき、しかも出力軸２２の先端が袋状の孔２４で覆われて露出せず、モータ２１の出力軸２２とポンプケース２５内の液体との間が簡易な構成で二重絶縁構造にできる。【選択図】図１
2005233056.tif 000002
【特許請求の範囲】
【請求項１】
出力軸を備えたモータと、前記出力軸に圧入固定される袋状の孔を設けた駆動用磁石と、前記駆動用磁石と磁気結合して回転するインペラと、前記インペラを内包し電気絶縁材料で形成した通水用のポンプケースとを備え、前記駆動用磁石は絶縁性の磁性材料で形成し、袋状の孔と出力軸との間には、駆動用磁石の出力軸への圧入固定時に駆動用磁石の外側に通じる隙間を形成した電動ポンプ。
【請求項２】
出力軸の外径を袋状の孔の内径よりも小さくするとともに、出力軸の外周には孔の内径よりも外径が大きなローレット加工を施した請求項１に記載の電動ポンプ。
【請求項３】
出力軸を段付き形状にして径小部にローレット加工を施し、前記ローレット加工の外径を出力軸の径大部よりも小さくした請求項２に記載の電動ポンプ。
【請求項４】
袋状の孔の内周を多角形とし、出力軸中心から多角形の頂点までの寸法を出力軸の外径より大きくするとともに多角形の辺までの寸法を出力軸の外径より小さくした請求項１に記載の電動ポンプ。
【発明の詳細な説明】
【技術分野】
【０００１】
本発明は、電気湯沸かし器などの液体使用機器に用いて液体を吐出させる電動ポンプに関するものである。
【背景技術】
【０００２】
従来、この種の電動ポンプは、電気湯沸かし器用として、モータの出力軸に取り付けた駆動用磁石と、ポンプケース内のインペラとを磁気結合し、インペラを回転駆動するものが知られている（例えば、特許文献１参照）。
【０００３】
この具体構成は、図８、図９に示すように、モータ１の出力軸２には孔３を設けた駆動用磁石４が圧入されている。孔３は圧入時に空気が密閉されないように貫通孔にしてある。ポンプケース５内には駆動用磁石４と磁気結合して回転するインペラ６が内包されている。また、ポンプケース５には吸い込み口５ａが設けられ、インペラ６の回転により液体（湯）が吸い込まれて別に設けた吐出口（図示せず）から吐出される。そして、駆動用磁石４はインペラ６に確実に磁気を伝えるため、ポンプケース５に近接して配置されている。
【特許文献１】特開平１１−１８９４８号公報
【発明の開示】
【発明が解決しようとする課題】
【０００４】
しかしながら、前記従来の構成では、孔３を貫通孔としているため出力軸２の先端が露出し、かつポンプケース５に近接しているため、出力軸２とポンプケース５の間の空気層は絶縁層とならず、出力軸２とポンプケース５内の液体とはポンプケース５のみの絶縁となり電気的な二重絶縁構造になっていないと言う課題を有していた。
【０００５】
本発明は、前記従来の課題を解決するもので、モータの出力軸とポンプケース内の液体との間を簡易な構成で二重絶縁構造にした電動ポンプを提供することを目的とする。
【課題を解決するための手段】
【０００６】
前記従来の課題を解決するために、本発明の電動ポンプは、駆動用磁石を絶縁性の磁性材料で形成し、駆動用磁石の孔を袋状とし、袋状の孔と出力軸との間には、駆動用磁石の出力軸への圧入固定時に駆動用磁石の外側に通じる隙間を形成したものである。
【０００７】
これによって、駆動用磁石の出力軸への圧入固定時に空気を孔内に密閉することなく容易に駆動用磁石を出力軸に圧入でき、しかも出力軸の先端が袋状の孔で覆われて露出せず、モータの出力軸とポンプケース内の液体との間を簡易な構成で二重絶縁構造にすることができる。
【発明の効果】
【０００８】
本発明の電動ポンプは、モータの出力軸とポンプケース内の液体との間を簡易な構成で二重絶縁構造にすることができる。
【発明を実施するための最良の形態】
【０００９】
第１の発明は、出力軸を備えたモータと、前記出力軸に圧入固定される袋状の孔を設けた駆動用磁石と、前記駆動用磁石と磁気結合して回転するインペラと、前記インペラを内包し電気絶縁材料で形成した通水用のポンプケースとを備え、前記駆動用磁石は絶縁性の磁性材料で形成し、袋状の孔と出力軸との間には、駆動用磁石の出力軸への圧入固定時に駆動用磁石の外側に通じる隙間を形成した電動ポンプとすることにより、駆動用磁石の出力軸への圧入固定時に空気を孔内に密閉することなく容易に駆動用磁石を出力軸に圧入でき、しかも出力軸の先端が袋状の孔で覆われて露出せず、モータの出力軸とポンプケース内の液体との間を簡易な構成で二重絶縁構造にすることができる。
【００１０】
第２の発明は、特に、第１の発明において、出力軸の外径を袋状の孔の内径よりも小さくするとともに、出力軸の外周には孔の内径よりも外径が大きなローレット加工を施したことにより、空気の逃がしと駆動用磁石の出力軸への固定を容易に行うことができ、モータの出力軸とポンプケース内の液体との間を二重絶縁構造にすることができる。
【００１１】
第３の発明は、特に、第２の発明において、出力軸を段付き形状にして径小部にローレット加工を施し、前記ローレット加工の外径を出力軸の径大部よりも小さくしたことにより、出力軸の加工を容易にするとともに、空気の逃がしと駆動用磁石の出力軸への固定を容易に行うことができ、モータの出力軸とポンプケース内の液体との間を二重絶縁構造にすることができる。
【００１２】
第４の発明は、特に、第１の発明において、袋状の孔の内周を多角形とし、出力軸中心から多角形の頂点までの寸法を出力軸の外径より大きくするとともに多角形の辺までの寸法を出力軸の外径より小さくしたことにより、出力軸に加工を施すことなく汎用のモータを使用することができ、また、空気の逃がしと駆動用磁石の出力軸への固定を容易に行うことができ、モータの出力軸とポンプケース内の液体との間を二重絶縁構造にすることができる。
【００１３】
以下、本発明の実施の形態について、図面を参照しながら説明する。なお、この実施の形態によって本発明が限定されるものではない。
【００１４】
（実施の形態１）
図１〜図３は、本発明の実施の形態１における電動ポンプを示すものである。
【００１５】
図に示すように、モータ２１には出力軸２２が備えられ、出力軸２２には樹脂製マグネットなどの絶縁性の磁性材料で形成された円板状の駆動用磁石２３が取り付けられている。駆動用磁石２３に設けた孔２４は、内径を出力軸２２より小さくしてあり、出力軸２２に圧入固定される。また、孔２４は出力軸２２の先端面を露出させないため、ポンプケース２５側を塞いで袋状にしてある。さらに、この袋状の孔２４の内周一部には、軸方向に出力軸２２の外径よりも径を大きくした溝２６が設けられている。この溝２６は、駆動用磁石２３の出力軸２２への圧入固定時に袋状の孔２４と出力軸２２との間から空気を駆動用磁石２３の外側に逃がす隙間を形成しているものである。ポンプケース２５は樹脂などの電気絶縁材料で形成され、ポンプケース２５内には駆動用磁石２３と磁気結合して回転するインペラ２７が内包されている。また、ポンプケース２５には吸い込み口２５ａが設けられ、インペラ２７の回転により液体（湯）が吸い込まれて別に設けた吐出口（図示せず）から吐出される。吐出された液体は、電気湯沸かし器の場合では、コーヒ、お茶用に供されるものである。なお、駆動用磁石２３はインペラ２７に確実に磁気を伝えるため、ポンプケース２５に近接して配置されている。
【００１６】
以上のように形成された電動ポンプについて、以下その動作、作用を説明する。
【００１７】
まず、駆動用磁石２３を出力軸２２に圧入する時には孔２４内の空気が溝２６から抜けて空気が密閉されないため、容易に駆動用磁石２３を出力軸２２に圧入でき、圧入した後に空気の力で駆動用磁石２３が出力軸２２から抜けると言ったことがなく、確実に駆動用磁石２３を出力軸２２に圧入固定することができる。駆動用磁石２３を圧入した後は、孔２４が袋状であるため、出力軸２２の先端面が露出しない。また、駆動用磁石２３を絶縁性の磁性材料で形成しているため、出力軸２２とポンプケース２５内の液体との間はポンプケース２５と駆動用磁石２３の二つの部品で絶縁されて二重絶縁構造になっている。
【００１８】
ここで、モータ２１を駆動することにより、駆動用磁石２３と磁気結合しているインペラ２７が回転し、液体を吐出口から吐出することができるものであり、電気湯沸かし器などに組み込んで電動ポンプとしての機能を発揮するものである。
【００１９】
（実施の形態２）
図４、図５は、本発明の実施の形態２における電動ポンプの要部を示すものである。実施の形態１と同一要素については同一符号を付して説明を省略する。
【００２０】
本実施の形態においては、図に示すように、出力軸２２の外径ａを袋状の孔２４の内径ｂよりも小さくするとともに、出力軸２２の外周には孔２４の内径よりも外径が大きなローレット２８加工、すなわち、出力軸２２の外周軸方向にギザギザの凹凸加工を施したものである。
【００２１】
これにより、駆動用磁石２３の孔２４を出力軸２２に挿入するとローレット２８が孔２４の内周に食い込み、駆動用磁石２３が出力軸２２に圧入固定される。また、出力軸２２の外径を孔２４の内径よりも小さくしてあるため、図５に示すように、出力軸２２と孔２４の間に隙間が形成され、孔２４内の空気は外側に抜けるものであって、密閉されることがない。
【００２２】
このように、出力軸２２の外周に孔２４の内径よりも外径が大きなローレット２８加工を施すことにより、空気の逃がしと駆動用磁石２３の出力軸２２への固定を容易に行うことができ、モータ２１の出力軸２２とポンプケース２５内の液体との間を二重絶縁構造にすることができる。
【００２３】
（実施の形態３）
図６は、本発明の実施の形態３における電動ポンプの要部を示すものである。実施の形態１、２と同一要素については同一符号を付して説明を省略する。
【００２４】
本実施の形態においては、図に示すように、モータ２１の出力軸２２を段付き形状にして径小部２２ｂに、駆動用磁石２３の孔２４の内径よりも外径が大きなローレット２８加工を施し、前記ローレット２８加工の外径を出力軸２２の径大部２２ａよりも小さくしたものである。
【００２５】
これにより、実施の形態２と同様、駆動用磁石２３の孔２４を出力軸２２に挿入するとローレット２８が孔２４の内周に食い込み、駆動用磁石２３が出力軸２２に圧入固定される。また、出力軸２２の外径を孔２４の内径よりも小さくしてあるため、出力軸２２と孔２４の間に隙間が形成され、孔２４内の空気は外側に抜けるものであって、密閉されることがないものである。そして、ローレット２８の外径が出力軸２２の径大部２２ａよりも小さいため、ローレット２８加工していても出力軸２２をモータ２１の軸受け部２１ａに通すことができる。すなわち、出力軸２２にローレット２８を施した後にモータ２１を組み立てることができ、出力軸２２の加工が軸単品ででき、出力軸２２の加工を容易にすることができる。
【００２６】
このように、出力軸２２を段付き形状にして径小部２２ｂにローレット２８加工を施すことにより、出力軸２２の加工を容易にするとともに、空気の逃がしと駆動用磁石２３の出力軸２２への固定を容易に行うことができ、モータ２１の出力軸２２とポンプケース２５内の液体との間を二重絶縁構造にすることができる。
【００２７】
（実施の形態４）
図７は、本発明の実施の形態４における電動ポンプの要部を示すものである。実施の形態１と同一要素については同一符号を付して説明を省略する。
【００２８】
本実施の形態においては、図に示すように、駆動用磁石２３の孔２４の内周を多角形とし、出力軸２２中心から多角形の頂点２４ａまでの寸法を出力軸２２の外径より大きくするとともに多角形の辺２４ｂまでの寸法を出力軸２２の外径より小さくしたものである。
【００２９】
これにより、駆動用磁石２３の孔２４を出力軸２２に挿入すると、多角形の辺２４ｂの部分が圧入寸法になっているため、駆動用磁石２３が出力軸２２に圧入固定される。この時、多角形の頂点２４ａの部分には隙間ができ、孔２４内の空気は外側に抜け密閉されることがない。また、出力軸２２には加工を施していないため汎用のモータを使用することができる。なお、孔２４を正多角形とすれば駆動用磁石２３の金型加工を一層容易にすることができる。
【００３０】
このように、孔２４の内周を多角形とすることにより、出力軸２２に加工を施すことなく汎用のモータを使用することができ、また、空気の逃がしと駆動用磁石２３の出力軸２２への固定を容易に行うことができ、モータ２１の出力軸２２とポンプケース２５内の液体との間を二重絶縁構造にすることができる。
【産業上の利用可能性】
【００３１】
以上のように、本発明にかかる電動ポンプは、モータの出力軸とポンプケース内の液体との間を簡易な構成で二重絶縁構造にすることができるので、電気湯沸かし器はもちろんのことその他の液体使用機器にも適用できる。
【図面の簡単な説明】
【００３２】
【図１】本発明の実施の形態１における電動ポンプの断面図
【図２】同電動ポンプの要部断面図
【図３】同電動ポンプの出力軸と駆動用磁石の孔との関係を示す断面図
【図４】本発明の実施の形態２における電動ポンプの要部断面図
【図５】同電動ポンプの出力軸と駆動用磁石の孔との関係を示す断面図
【図６】本発明の実施の形態３における電動ポンプの要部断面図
【図７】本発明の実施の形態４における電動ポンプの出力軸と駆動用磁石の孔との関係を示す断面図
【図８】従来の電動ポンプの断面図
【図９】同電動ポンプの要部断面図
【符号の説明】
【００３３】
２１  モータ
２２  出力軸
２２ａ  径大部
２２ｂ  径小部
２３  駆動用磁石
２４  孔
２５  ポンプケース
２６  溝
２７  インペラ
２８  ローレット
【図１】
2005233056.tif 000003
【図２】
2005233056.tif 000004
【図３】
2005233056.tif 000005
【図４】
2005233056.tif 000006
【図５】
2005233056.tif 000007
【図６】
2005233056.tif 000008
【図７】
2005233056.tif 000009
【図８】
2005233056.tif 000010
【図９】
2005233056.tif 000011